(57)【要約】【課題】地震発生時にトラスの上階側支承部が設置構造物への支承位置から外れた場合に、トラスの上階側部分が下階まで落下することを防止する。【解決手段】トラスの落下防止装置において、トラス２の上階側支承部２ａを支承する設置構造物１に支軸１０を支点として上下方向回動可能に取付けられ、設置構造物１とトラス２の上階側端部との間に位置して先端側を上方に向ける収容位置と、先端側をトラス２側に突出させる支持位置とに回動する支持片７と、上階側支承部２ａが設置構造物１への支承位置から外れて落下する場合に支持片７を収容位置から支持位置へ回動させる回動手段８と、支持片７に取付けられて上階側支承部２ａが設置構造物１への支承位置から外れて落下する場合に上階側支承部２ａと支持位置に位置する支持片７との間の衝突の衝撃を緩和する弾性部材８とを備える。【選択図】    図３
2007290785.tif 000002
【特許請求の範囲】
【請求項１】
トラスの上階側支承部を支承する設置構造物に支軸を支点として上下方向回動可能に取付けられ、前記設置構造物と前記トラスの上階側端部との間に位置して先端側を上方に向ける収容位置と、前記先端側を前記トラス側に突出させる支持位置とに回動する支持片と、
前記上階側支承部が前記設置構造物への支承位置から外れて落下する場合に、前記支持片を前記収容位置から前記支持位置へ回動させる回動手段と、
前記支持片に取付けられ、前記上階側支承部が前記設置構造物への支承位置から外れて落下する場合に前記上階側支承部と前記支持位置に位置する前記支持片との間の衝突の衝撃を緩和する弾性部材と、
を備えることを特徴とするトラスの落下防止装置。
【請求項２】
前記弾性部材は、前記支持片が支持位置に位置する場合に前記上階側支承部に当接する位置に取付けられていることを特徴する請求項１記載のトラスの落下防止装置。
【請求項３】
前記弾性部材は、前記支持片が支持位置に位置する場合に前記設置構造物に当接する位置に取付けられていることを特徴とする請求項１記載のトラスの落下防止装置。
【請求項４】
前記回動手段と前記弾性部材とが兼用され、前記回動手段は、前記支持片が前記収容位置に位置する場合に前記支持片を前記支持位置に回動させる向きに付勢することを特徴とする請求項１又は２記載のトラスの落下防止装置。
【請求項５】
前記回動手段は、前記支持片と前記上階側支承部との間に連結された索状部材であることを特徴とする請求項１又は３記載のトラスの落下防止装置。
【請求項６】
上階側支承部を設置構造物に支承されるトラスの上階側端部に支軸を支点として上下方向回動可能に取付けられ、前記設置構造物と前記トラスの上階側端部との間に位置して先端側を下方に向ける収容位置と、前記先端側を前記設置構造物側に突出させる支持位置とに回動する支持片と、
前記上階側支承部が前記設置構造物への支承位置から外れて落下する場合に、前記支持片を前記収容位置から前記支持位置へ回動させる回動手段と、
前記設置構造物に取付けられ、支持位置に位置する前記支持片の下側に位置する支持突起と、
前記支持片と前記支持突起とのいずれかに取付けられ、前記上階側支承部が前記設置構造物への支承位置から外れて落下する場合に前記支持突起と前記支持位置に位置する前記支持片との間の衝突の衝撃を緩和する弾性部材と、
を備えることを特徴とするトラスの落下防止装置。
【請求項７】
前記弾性部材は前記支持片に取付けられ、前記弾性部材の取付位置は前記支持片が支持位置に位置する場合に前記支持突起に当接する位置であることを特徴とする請求項６記載のトラスの落下防止装置。
【請求項８】
前記回動手段は、前記支持片と前記設置構造物との間に連結された索状部材であることを特徴とする請求項６又は７記載のトラスの落下防止装置。
【発明の詳細な説明】
【技術分野】
【０００１】
本発明は、トラスの落下防止装置に関し、特に、地震発生時に設置構造物への支承位置から外れたトラスが下階に落下することを防止するトラスの落下防止装置に関する。
【背景技術】
【０００２】
下記特許文献１に記載されているように、エスカレータは設置構造物の上階と下階との間に亘って据え付けられるトラスを有している。トラスの上階側と下階側とにはそれぞれ支承部が設けられ、これらの支承部は、設置構造物の振動がトラスに直接伝わらない構造、例えば、長穴とボルトとを用いた構造により固定されている。
【特許文献１】特開平５−２９４５９０号公報
【発明の開示】
【発明が解決しようとする課題】
【０００３】
しかしながら、前述の特許文献１に記載されたエスカレータにおいては、以下の点について配慮がなされていない。
【０００４】
大きな地震が発生した場合、トラスと設置構造物との固定部が破壊され、支承部が設置構造物への支承位置から外れるということが起こり得る。
【０００５】
上階側の支承部が設置構造物への支承位置から外れた場合、トラスの上階側部分が下階まで落下する。
【０００６】
本発明はこのような課題を解決するためになされたもので、その目的は、地震発生時にトラスの上階側支承部が設置構造物への支承位置から外れた場合に、トラスの上階側部分が下階まで落下することを防止するトラスの落下防止装置を提供することである。
【課題を解決するための手段】
【０００７】
本発明の実施の形態に係る第１の特徴は、トラスの落下防止装置において、トラスの上階側支承部を支承する設置構造物に支軸を支点として上下方向回動可能に取付けられ、前記設置構造物と前記トラスの上階側端部との間に位置して先端側を上方に向ける収容位置と、前記先端側を前記トラス側に突出させる支持位置とに回動する支持片と、前記上階側支承部が前記設置構造物への支承位置から外れて落下する場合に、前記支持片を前記収容位置から前記支持位置へ回動させる回動手段と、前記支持片に取付けられ、前記上階側支承部が前記設置構造物への支承位置から外れて落下する場合に前記上階側支承部と前記支持位置に位置する前記支持片との間の衝突の衝撃を緩和する弾性部材と、を備えることである。
【０００８】
本発明の実施の形態に係る第２の特徴は、トラスの落下防止装置において、上階側支承部を設置構造物に支承されるトラスの上階側端部に支軸を支点として上下方向回動可能に取付けられ、前記設置構造物と前記トラスの上階側端部との間に位置して先端側を下方に向ける収容位置と、前記先端側を前記設置構造物側に突出させる支持位置とに回動する支持片と、前記上階側支承部が前記設置構造物への支承位置から外れて落下する場合に、前記支持片を前記収容位置から前記支持位置へ回動させる回動手段と、前記設置構造物に取付けられ、支持位置に位置する前記支持片の下側に位置する支持突起と、前記支持片と前記支持突起とのいずれかに取付けられ、前記上階側支承部が前記設置構造物への支承位置から外れて落下する場合に前記支持突起と前記支持位置に位置する前記支持片との間の衝突の衝撃を緩和する弾性部材と、を備えることである。
【発明の効果】
【０００９】
本発明によれば、トラスの上階側支承部が設置構造物への支承位置から外れた場合に、トラスの上階側部分が下階まで落下することを防止することができる。
【発明を実施するための最良の形態】
【００１０】
以下、本発明の実施の形態を図面を用いて説明する。
【００１１】
（第１の実施の形態）
本発明の第１の実施の形態に係るトラスの落下防止装置を備えるエスカレータは、図１に示すように、建物等の設置構造物１の下階と上階との間に亘って据え付けられるトラス２と、チェーン（図示せず）により無端状に連結されて循環移動する複数の踏段３と、踏段３を循環移動させる踏段駆動機構（図示せず）と、踏段３の両側に配設される一対の欄干４と、欄干４に巻き掛けられて循環移動する手摺ベルト５とを有している。
【００１２】
トラス２の上階側端部には上階側支承部２ａが設けられ、トラス２の下階側端部には下階側支承部２ｂが設けられている。上階側支承部２ａは、設置構造物１の上階側に支承され、設置構造物１の振動がトラス２に直接伝わらない構造、例えば、長穴とボルトとを用いた構造により固定されている。下階側支承部２ｂは、設置構造物１の下階側に支承され、設置構造物１の振動がトラス２に直接伝わらない構造、例えば、長穴とボルトとを用いた構造により固定されている。
【００１３】
トラス２の上階側端部と設置構造物１との間には、大きな地震の発生時において、トラス２の上階側支承部２ａが設置構造物１への支承位置から外れた場合に、トラス２の上階側支承部２ａが下階まで落下することを防止するための支持機構６が設けられている。支持機構６は、支持片７と、弾性部材であるとともに回動手段であるコイルバネ８と、一対の支持金具９と、支軸１０とを備えている。
【００１４】
一対の支持金具９は水平方向の位置に配設され、設置構造物１におけるトラス２の上階側部分に対向する側面１ａに固定されている。これらの支持金具９に対して支軸１０により支持片７が取付けられている。
【００１５】
支持片７は、垂直面で断面にした場合の断面形状が短片部７ａと長片部７ｂとからなるＬ字型となる形状に形成されている。支持片７は、短片部７ａが支軸１０により支持金具９に取付けられ、支軸１０の中心線回りに上下方向回動可能とされている。
【００１６】
支軸１０の中心線回りに上下方向に回動可能に取付けられた支持片７は、図２に示す収容位置と、図３に示す支持位置との間で回動可能とされている。トラス２の上階側支承部２ａが設置構造物１に支承されている場合、支持片７は図２に示すように、設置構造物１とトラス２の上階側端部との間に位置し、支持片７の先端側である長片部７ｂの先端側を上方に向ける収容位置に回動している。一方、大きな地震の発生時において、トラス２の上階側支承部２ａが設置構造物１への支承位置から外れた場合、支持片７は図３に示すように、支持片７の先端側である長片部７ｂの先端側をトラス２側に突出させる支持位置に回動する。
【００１７】
コイルバネ８は、一端側が支持片７の長片部７ｂに固定されている。コイルバネ８の他端側は自由端とされており、支持片７の回動位置により当接位置が変化する。支持片７が支持位置に位置する場合には、コイルバネ８の自由端は設置構造物１の側面１ａに当接されている。また、支持片７が突出位置に位置してトラス２が落下した場合には、コイルバネ８の自由端はトラス２の上階側支承部２ａに当接される。なお、コイルバネ８は、支持片７の横幅方向である水平方向に沿った位置に複数個固定されている。
【００１８】
支持片７が図２に示す収容位置に位置する場合、一端側を支持片７の長片部７ｂに固定されたコイルバネ８の他端側が設置構造物１の側面１ａに当接され、長片部７ｂにおけるコイルバネ８が固定された側の背面側である第１当接面部７ｃがトラス２の上階側端部に当接されている。この場合、コイルバネ８は圧縮され、コイルバネ８は支持片７を支持位置に回動させる向き（矢印ａで示す向き）に付勢する回動手段として機能する。
【００１９】
支持片７が図３に示す支持位置に位置する場合、短片部７ａの外周面の一面である第２当接面部７ｄが設置構造物１の側面１ａに当接され、支持片７はこれ以上矢印ａ方向へ回動することが規制される。また、コイルバネ８の他端側は、設置構造物１への支承位置から外れた上階側支承部２ａに当接されている。
【００２０】
支持片７が収容位置に位置する場合における、設置構造物１から支持片７までの張出寸法、即ち、設置構造物１の側面１ａから長片部７ｂの第１当接面部７ｃまでの寸法は“ａ”である。また、支持片７が支持位置に位置する場合における、設置構造物１から支持片７までの張出寸法、即ち、設置構造物１の側面１ａから長片部７ｂの先端までの寸法は“ｂ”であり、この張出寸法“ｂ”は張出寸法“ａ”より大きく設定されている。
【００２１】
このような構成において、設置構造物１内に設置されたエスカレータは、図１に示すように、トラス２の上階側支承部２ａが設置構造物１の上階側に支承され、トラス２の下階側支承部２ｂが設置構造物１の下階側に支承されている。
【００２２】
トラス２の上階側支承部２ａと下階側支承部２ｂとがそれぞれ設置構造物１に支承されている場合には、トラス２の上階側端部と設置構造物１との間に設けられている支持機構６は、図２に示すように、長片部７ｂの第１当接面部７ｃがトラス２の上階側端部に当接され、一端側を長片部７ｂに固定されたコイルバネ８の自由端が設置構造物１の側面１ａに当接されている。このため、地震発生時に設置構造物１が振動した場合、設置構造物１からトラス２への振動の伝わりがコイルバネ８により抑制される。
【００２３】
大きな地震が発生した場合、上階側支承部２ａが設置構造物１への支承位置から外れる場合がある。上階側支承部２ａが設置構造物１への支承位置から外れる場合には、図２に示す状態からトラス２が設置構造物１から離反する方向へ移動し、上階側支承部２ａと設置構造物１との重なり幅寸法“Ａ”が次第に小さくなり、やがて“０”になる。
【００２４】
重なり幅寸法“Ａ”が次第に小さくなることに伴い、トラス２の上階側端部における第１当接面部７ｃに当接している部分が支軸１０から次第に離れ、支持片７はコイルバネ８の付勢力により支軸１０を支点として矢印ａ方向に次第に回動する。そして、重なり幅寸法“Ａ”が“０”となった瞬間、又は、その直前に、支持片７が矢印ａ方向に向けて大きく回動し、支持片７が支持位置に回動する。支持片７が支持位置に回動すると、支持片７の第２当接面部７ｄが図３に示すように設置構造物１の側面１ａに当接される。支持片７の第２当接面部７ｄが設置構造物１の側面１ａに当接されることにより、支持片７はそれ以上矢印ａ方向に回動することが規制される。支持片７が支持位置に回動した場合は、コイルバネ８の自由端が上向き状態となる。
【００２５】
支持片７が支持位置に回動した直後、トラス２の上階側支承部２ａが設置構造物１への支承位置から外れ、トラス２の上階側部分が落下する。しかし、設置構造物１への支承位置から外れた上階側支承部２ａは、支持位置に位置している支持片７に固定されているコイルバネ８の自由端側に当接して支えられるので、落下する寸法が小さくなり、下階まで落下することが防止される。
【００２６】
しかも、落下した上階側支承部２ａがコイルバネ８の自由端側に当接されるので、上階側支承部２ａと支持片７との間の衝突の衝撃が緩和される。
【００２７】
また、収容位置に位置する支持片７の設置構造物１からの張出寸法“ａ”に比べ、支持位置に回動した支持片７の設置構造物１からの張出寸法“ｂ”が大きい。このため、設置構造物１の側面１ａに、設置構造物１からの張出寸法が“ａ”である支持突起を位置固定に取付ける場合に比べ、支承位置から外れて落下する上階側支承部２ａを支持できる寸法“ｂ”を大きくとることができ、支承位置から外れて落下する上階側支承部２ａを支持する性能を高めることができる。
【００２８】
さらに、設置構造物１とトラス２との間に確保するスペースを、寸法“ｂ”より小さい寸法“ａ”とすることができ、エスカレータの設置スペースの省スペース化を図ることができる。
【００２９】
（第２の実施の形態）
本発明の第２の実施の形態に係るトラスの落下防止装置を、図４及び図５に基づいて説明する。なお、第２の実施の形態及び以下に説明する他の実施の形態において、先行して説明した実施の形態の構成要素と同じ構成要素には同じ符号を付け、重複する説明は省略する。
【００３０】
第２の実施の形態に係るトラスの落下防止装置は、トラス２の上階側端部と設置構造物１との間に位置し、大きな地震の発生時にトラス２の上階側部分が下階まで落下することを防止するための支持機構６Ａを有している。支持機構６Ａは、支持片１１と、弾性部材であるコイルバネ１２と、回動手段である索状部材１３と、一対の支持金具９と、支軸１０とを備えている。索状部材１３としては、ワイヤ又はチェーンを用いることができる。また、設置構造物１におけるトラス２の上階側部分に対向する位置には、窪み部１４が形成されている。
【００３１】
支持片１１は、垂直面で断面にした場合の断面形状がＩ字型となる形状に形成されている。支持片１１は支軸１０により支持金具９に取付けられ、支軸１０の中心線回りに上下方向回動可能とされている。支持片１１の先端側である一端側には索状部材１３の一端が連結され、支持片１１の他端側にはコイルバネ１２が固定されている。
【００３２】
支軸１０の中心線回りに上下方向に回動可能に取付けられた支持片１１は、図４に示す収容位置と、図５に示す支持位置との間で回動可能とされている。トラス２の上階側支承部２ａが設置構造物１に支承されている場合、支持片１１は図４に示すように、設置構造物１とトラス２の上階側端部との間に位置し、支持片１１の先端側を上方に向ける収容位置に回動している。一方、大きな地震の発生時において、トラス２の上階側支承部２ａが設置構造物１への支承位置から外れた場合、支持片１１は図５に示すように、支持片１１の先端側をトラス２側に突出させる支持位置に回動する。
【００３３】
コイルバネ１２の一端側は、支持片１１の先端側に対して支軸１０を挟んで位置する支持片１１の他端側に固定されている。コイルバネ１２の他端側は自由端とされている。支持片１１が支持位置に位置する場合には、コイルバネ１２の自由端は窪み部１４内に入り込んで位置し、窪み部１４の内周面に対して非接触となっている。また、支持片１１が突出位置に位置する場合には、コイルバネ１２の自由端は窪み部１４の天井面１４ａに当接される。コイルバネ１２は、支持片１１の横幅方向である水平方向に沿った位置に複数個固定されている。
【００３４】
索状部材１３は、一端が支持片１１の先端側に連結され、他端がトラス２の上端側端部に連結されている。索状部材１３の両端の連結部間の長さ寸法は、トラス２が設置構造物１から離れる方向に移動し、上階側支承部２ａが設置構造物１への支承位置から外れて落下する瞬間、又は、落下する直前に、収容位置に位置する支持片１１を引っ張ることにより支軸１０の回りに支持位置に向けて回動させることができる寸法に設定されている。
【００３５】
支持片１１が収容位置に位置する場合における、設置構造物１から支持片１１までの張出寸法、即ち、設置構造物１の側面１ａから支持片１１の背面部１１ａまでの寸法は“ａ”である。また、支持片１１が支持位置に位置する場合における、設置構造物１から支持片１１までの張出寸法、即ち、設置構造物１の側面１ａから支持片１１の先端側端面までの寸法は“ｂ”であり、この張出寸法“ｂ”は張出寸法“ａ”より大きく設定されている。
【００３６】
このような構成において、トラス２の上階側支承部２ａと下階側支承部２ｂ（図１参照）とがそれぞれ設置構造物１に支承されている場合には、支持片１１は図４に示すように収容位置に回動している。
【００３７】
大きな地震が発生した場合、上階側支承部２ａが設置構造物１への支承位置から外れる場合がある。上階側支承部２ａが設置構造物１への支承位置から外れる場合には、図４に示す状態からトラス２が設置構造物１から離反する方向へ移動し、上階側支承部２ａと設置構造物１との重なり幅寸法“Ａ”が次第に小さくなり、やがて“０”になる。
【００３８】
重なり幅寸法“Ａ”が次第に小さくなることに伴い、索状部材１３が上階側支承部２ａ側へ引っ張られる。そして、重なり幅寸法“Ａ”が“０”となった瞬間、又はその直前に、索状部材１３により支持片１１が引っ張られ、支持片１１が支軸１０を支点として矢印ａ方向に回動し、支持片１１が支持位置に回動する。支持片１１が支持位置に回動すると、コイルバネ１２の自由端側が窪み部１４の天井面１４ａに当接される。コイルバネ１２の自由端が窪み部１４の天井面１４ａに当接されることにより、支持片７はそれ以上矢印ａ方向に回動することが規制される。
【００３９】
支持片１１が支持位置に回動した直後、トラス２の上階側支承部２ａが設置構造物１への支承位置から外れ、トラス２の上階側部分が落下する。しかし、設置構造物１への支承位置から外れた上階側支承部２ａは、支持位置に位置している支持片１１に当接して支えられるので、落下する寸法が小さくなり、下階まで落下することが防止される。
【００４０】
しかも、落下した上階側支承部２ａが支持片１１に当接した場合、自由端を窪み部１４の天井面１４ａに当接させているコイルバネ８により上階側支承部２ａと支持片１１との間の衝突の衝撃が緩和される。
【００４１】
また、収容位置に位置する支持片１１の設置構造物１からの張出寸法“ａ”に比べ、支持位置に回動した支持片１１の設置構造物１からの張出寸法“ｂ”が大きい。このため、設置構造物１の側面１ａに、設置構造物１からの張出寸法が“ａ”である支持突起を位置固定に取付ける場合に比べ、支承位置から外れて落下する上階側支承部２ａを支持できる寸法“ｂ”を大きくとることができ、支承位置から外れて落下する上階側支承部２ａを支持する性能を高めることができる。
【００４２】
さらに、設置構造物１とトラス２との間に確保するスペースを、寸法“ｂ”より小さい寸法“ａ”とすることができ、エスカレータの設置スペースの省スペース化を図ることができる。
【００４３】
（第３の実施の形態）
本発明の第３の実施の形態に係るトラスの落下防止装置を、図６及び図７に基づいて説明する。
【００４４】
第３の実施の形態に係るトラスの落下防止装置は、トラス２の上階側端部と設置構造物１との間に位置し、大きな地震の発生時にトラス２の上階側部分が下階まで落下することを防止するための支持機構６Ｂを有している。支持機構６Ｂは、支持片７と、弾性部材であるとともに回動手段であるコイルバネ８と、一対の支持金具９と、支軸１０と、設置構造物の一部であるＨ型鋼１５と、補助バネ１６とを備えている。コイルバネ８と補助バネ１６とは、支持片７の横幅方向である水平方向に沿った位置に複数個ずつ固定されている。
【００４５】
Ｈ型鋼１５は、設置構造物１の側面１ａに固定され、トラス２の上階側支承部２ａを支承する位置に配設されている。
【００４６】
Ｈ型鋼１５の下面に支持金具９が固定され、この支持金具９に対して支軸１０により支持片７が取付けられている。支持片７は、短片部７ａと長片部７ｂとを有する断面形状がＬ字型となる形状に形成されている。支持片７は支軸１０を支点として上下方向回動可能に取付けられ、図６に示す収容位置と、図７に示す支持位置とに回動する。
【００４７】
補助バネ１６は、一端側を設置構造物１の側面１ａに固定され、他端側は自由端とされている。補助バネ１６の設置構造物１の側面１ａへの固定位置は、支持片７が図７に示す支持位置に回動した場合、補助バネ１６の自由端が短片部７ａの第２当接面部７ｄに当接する位置とされている。
【００４８】
このような構成において、図６に示すように、トラス２の上階側支承部２ａと下階側支承部２ｂ（図１参照）とがそれぞれＨ型鋼１５に支承されている場合には、長片部７ｂの第１当接面部７ｃがトラス２の上階側端部に当接され、一端側を長片部７ｂに固定されたコイルバネ８の自由端がＨ型鋼１５に当接されている。このため、地震発生時に設置構造物１が振動した場合、Ｈ型鋼１５からトラス２への振動の伝わりがコイルバネ８により抑制される。
【００４９】
大きな地震が発生した場合、上階側支承部２ａがＨ型鋼１５への支承位置から外れる場合がある。上階側支承部２ａがＨ型鋼１５への支承位置から外れる場合には、図６に示す状態からトラス２がＨ型鋼１５から離反する方向へ移動し、上階側支承部２ａとＨ型鋼１５との重なり幅寸法“Ａ”が次第に小さくなり、やがて、“０”になる。
【００５０】
重なり幅寸法“Ａ”が次第に小さくなることに伴い、トラス２の上階側端部における支持片７の第１当接面部７ｃに当接している部分が支軸１０から次第に離れ、支持片７はコイルバネ８の付勢力により支軸１０を支点として矢印ａ方向に次第に回動する。そして、重なり幅寸法“Ａ”が“０”となった瞬間、又は、その直前に、支持片７が矢印ａ方向に向けて大きく回動し、支持片７が支持位置に回動する。支持片７が支持位置に回動すると、支持片７の第２当接面部７ｄが図７に示すように補助バネ１６の自由端側に当接される。支持片７の第２当接面部７ｄが補助バネ１６の自由端側に当接されることにより、支持片７はそれ以上矢印ａ方向に回動することが規制される。支持片７が支持位置に回動した場合は、コイルバネ８の自由端が上向き状態となる。
【００５１】
支持片７が支持位置に回動した直後、トラス２の上階側支承部２ａがＨ型鋼１５への支承位置から外れ、トラス２の上階側部分が落下する。しかし、Ｈ型鋼１５への支承位置から外れた上階側支承部２ａは、支持位置に位置している支持片７に固定されているコイルバネ８の自由端側に当接して支えられるので、落下する寸法が小さくなり、下階まで落下することが防止される。
【００５２】
しかも、落下した上階側支承部２ａがコイルバネ８の自由端側に当接されることにより、上階側支承部２ａと支持片７との間の衝突の衝撃が緩和され、さらに、落下した上階側支承部２ａがコイルバネ８の自由端側に当接した場合に支持片７に作用する衝撃が、補助バネ１６により緩和される。
【００５３】
（第４の実施の形態）
本発明の第４の実施の形態に係るトラスの落下防止装置を、図８ないし図１０に基づいて説明する。
【００５４】
第４の実施の形態に係るトラスの落下防止装置は、トラス２の上階側端部と設置構造物１との間に位置し、大きな地震の発生時にトラス２の上階側部分が下階まで落下することを防止するための支持機構６Ｃを有している。この支持機構６Ｃは、第１の実施の形態において説明した支持機構６におけるコイルバネ８に代えて、弾性部材として機能する板バネ１７と、回動手段として機能する索状部材１８とが設けられている。索状部材１８としては、ワイヤ又はチェーンを用いることができる。
【００５５】
板バネ１７は、図１０に示すように支持片７の長片部７ｂに取付けられ、両端部を複数のボルト１９により固定され、中央部が長片部７ｂにおける取付面７ｅから盛り上がる方向に撓ませてある。
【００５６】
索状部材１８は、一端が支持片７の先端側に連結され、他端がトラス２の上端側端部に連結されている。索状部材１８の両端の連結部間の長さ寸法は、トラス２が設置構造物１から離れる方向に移動し、上階側支承部２ａが設置構造物１への支承位置から外れて落下する瞬間、又は、落下する直前に、収容位置に位置する支持片７を引っ張ることにより支軸１０の回りに支持位置に向けて回動させることができる寸法に設定されている。
【００５７】
このような構成において、トラス２の上階側支承部２ａと下階側支承部２ｂ（図１参照）とがそれぞれ設置構造物１に支承されている場合には、支持片７は図８に示すように収容位置に回動している。
【００５８】
大きな地震が発生した場合、上階側支承部２ａが設置構造物１への支承位置から外れる場合がある。上階側支承部２ａが設置構造物１への支承位置から外れる場合には、図８に示す状態からトラス２が設置構造物１から離反する方向へ移動し、上階側支承部２ａと設置構造物１との重なり幅寸法“Ａ”が次第に小さくなり、やがて“０”になる。
【００５９】
重なり幅寸法“Ａ”が次第に小さくなることに伴い、索状部材１８が上階側支承部２ａ側へ引っ張られる。そして、重なり幅寸法“Ａ”が“０”となった瞬間、又は、その直前に、索状部材１８により支持片７が引っ張られ、支持片７が支軸１０を支点として矢印ａ方向に回動し、支持片７が支持位置に回動する。支持片７が支持位置に回動すると、支持片７の第２当接面部７ｄが図９に示すように設置構造物１の側面１ａに当接される。支持片７の第２当接面部７ｄが設置構造物１の側面１ａに当接されることにより、支持片７はそれ以上矢印ａ方向に回動することが規制される。支持片７が支持位置に回動した場合は、板バネ１７は中央部の盛り上がり部分が上向き状態となる。
【００６０】
支持片７が支持位置に回動した直後、トラス２の上階側支承部２ａが設置構造物１への支承位置から外れ、トラス２の上階側部分が落下する。しかし、設置構造物１への支承位置から外れた上階側支承部２ａは、支持位置に位置している支持片７に固定されている板バネ１７に当接して支えられるので、落下する寸法が小さくなり、下階まで落下することが防止される。
【００６１】
しかも、落下した上階側支承部２ａが板バネ１７に当接されるので、上階側支承部２ａと支持片７との間の衝突の衝撃が緩和される。
【００６２】
（第５の実施の形態）
本発明の第５の実施の形態に係るトラスの落下防止装置を、図１１及び図１２に基づいて説明する。
【００６３】
第５の実施の形態に係るトラスの落下防止装置は、トラス２の上階側端部と設置構造物１との間に位置し、大きな地震の発生時にトラス２の上階側部分が下階まで落下することを防止するための支持機構６Ｄを有している。この支持機構６Ｄは、支持片２０と、弾性部材であるコイルバネ２１と、回動手段である索状部材２２と、一対の支持金具２３と、支軸２４と、設置構造物１におけるトラス２の上階側端部に対向する側面１ａに取付けられた支持突起２５とを備えている。一対の支持金具２３は水平方向の位置に配設され、トラス２の上階側端部に固定されている。索状部材２２としては、ワイヤ又はチェーンを用いることができる。
【００６４】
支持片２０は、垂直面で断面にした場合の断面形状がＩ字型となる形状に形成されている。支持片２０は支軸２４により支持金具２３に取付けられ、支軸２４の中心線回りに上下方向回動可能とされている。
【００６５】
支軸２４の中心線回りに上下方向に回動可能な支持片２０は、図１１に示す収容位置と、図１２に示す支持位置との間で回動可能とされている。トラス２の上階側支承部２ａが設置構造物１に支承されている場合、支持片２０は図１１に示すように、設置構造物１とトラス２の上階側端部との間に位置して先端側を下方に向ける収容位置に回動している。一方、大きな地震の発生時において、トラス２の上階側支承部２ａが設置構造物１への支承位置から外れた場合、支持片２０は図１２に示すように、先端側を設置構造物１側に突出させる支持位置に回動する。
【００６６】
支持片２０の先端側には、支持片２０が収容位置に回動している場合においてトラス２に対向する面にコイルバネ２１の一端側が固定されている。コイルバネ２１の他端側は自由端とされている。また、支持片２０の先端側には、索状部材２２の一端が連結されている。索状部材２２の他端は、設置構造物１に連結されている。索状部材２２の両端の連結部間の長さ寸法は、トラス２が設置構造物１から離れる方向に移動し、上階側支承部２ａが設置構造物１への支承位置から外れて落下する瞬間、又は、落下する直前に、収容位置に位置する支持片２０を引っ張ることにより支軸２４の回りに支持位置に向けて回動させることができる寸法に設定されている。
【００６７】
支持片２０が図１２に示す支持位置に回動した場合、支持片２０における当接面部２０ａがトラス２の上階側端部に当接され、支持片２０がこれ以上矢印ｂ方向に回動することが規制される。また、コイルバネ２１の自由端は下向きとなり、上階側支承部２ａが落下した場合にコイルバネ２１の自由端が支持突起２５の上面に当接される。
【００６８】
このような構成において、トラス２の上階側支承部２ａと下階側支承部２ｂ（図１参照）とがそれぞれ設置構造物１に支承されている場合には、支持片２０は図１１に示すように収容位置に回動している。
【００６９】
大きな地震が発生した場合、上階側支承部２ａが設置構造物１への支承位置から外れる場合がある。上階側支承部２ａが設置構造物１への支承位置から外れる場合には、図１１に示す状態からトラス２が設置構造物１から離反する方向へ移動し、上階側支承部２ａと設置構造物１との重なり幅寸法“Ａ”が“０”になる。
【００７０】
重なり幅寸法“Ａ”が次第に小さくなることに伴い、索状部材２２が設置構造物１側へ引っ張られる。そして、重なり幅寸法“Ａ”が“０”となった瞬間、又は、その直前に、索状部材２２により支持片２０が引っ張られ、支持片２０が支軸２４を支点として矢印ｂ方向に回動し、支持片２０が支持位置に回動する。支持片２０が支持位置に回動すると、支持片２０の当接面部２０ａが図１２に示すようにトラス２の上階側端部に当接される。支持片２０の当接面部２０ａがトラス２の上階側端面に当接されることにより、支持片２０はそれ以上矢印ｂ方向に回動することが規制される。支持片２０が支持位置に回動した場合は、コイルバネ２１の自由端が下向き状態となる。
【００７１】
支持片２０が支持位置に回動した直後、上階側支承部２ａが設置構造物１への支承位置から外れたトラス２の上階側部分が支持片２０と共に落下する。しかし、支持片２０に取付けられたコイルバネ２１の自由端が支持突起２５に当接して支えられるので、設置構造物１への支承位置から外れて落下するトラス２の落下する寸法が小さくなり、下階まで落下することが防止される。
【００７２】
しかも、上階側支承部２ａと共に落下するコイルバネ２１の自由端が支持突起２５に当接されるので、支持片２０と支持突起２５との間の衝突の衝撃が緩和される。
【００７３】
なお、第５の実施の形態では、コイルバネ２１を支持片２０に固定した場合を例に挙げて説明したが、支持突起２５の上面に固定してもよい。
【００７４】
また、第５の実施の形態では、弾性部材としてコイルバネ２１を用いた場合を例に挙げて説明したが、このコイルバネ２１に代えて、第４の実施の形態で説明した板バネ１７を用いてもよい。この場合、板バネ１７は支持片２０に固定しても良く、又は、支持突起２５の上面に固定してもよい。
【図面の簡単な説明】
【００７５】
【図１】本発明の第１の実施の形態に係るトラスの落下防止装置を備えるエスカレータの全体構成を示す側面図である。
【図２】支持片が収容位置に位置する場合の支持機構を示す側面図である。
【図３】落下したトラスを支持する支持機構を示す側面図である。
【図４】本発明の第２の実施の形態に係るトラスの落下防止装置における支持片が収容位置に位置する場合の支持機構を示す側面図である。
【図５】落下したトラスを支持する支持機構を示す側面図である。
【図６】本発明の第３の実施の形態に係るトラスの落下防止装置における支持片が収容位置に位置する場合の支持機構を示す側面図である。
【図７】落下したトラスを支持する支持機構を示す側面図である。
【図８】本発明の第４の実施の形態に係るトラスの落下防止装置における支持片が収容位置に位置する場合の支持機構を示す側面図である。
【図９】落下したトラスを支持する支持機構を示す側面図である。
【図１０】支持片に固定された板バネを示す正面図である。
【図１１】本発明の第５の実施の形態に係るトラスの落下防止装置における支持片が収容位置に位置する場合の支持機構を示す側面図である。
【図１２】落下したトラスを支持する支持機構を示す側面図である。
【符号の説明】
【００７６】
１      設置構造物
２      トラス
２ａ    上階側支承部
７      支持片
８      回動手段、弾性部材
１０      支軸
１１      支持片
１２      弾性部材
１３      回動手段、索状部材
１５      設置構造物
１７      弾性部材
１８      回動手段、索状部材
２０      支持片
２１      弾性部材
２２      回動手段、索状部材
２４      支軸
２５      支持突起
【図１】
2007290785.tif 000003
【図２】
2007290785.tif 000004
【図３】
2007290785.tif 000005
【図４】
2007290785.tif 000006
【図５】
2007290785.tif 000007
【図６】
2007290785.tif 000008
【図７】
2007290785.tif 000009
【図８】
2007290785.tif 000010
【図９】
2007290785.tif 000011
【図１０】
2007290785.tif 000012
【図１１】
2007290785.tif 000013
【図１２】
2007290785.tif 000014